【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
ヒドロキシル官能性カルバモイルオルガノシリコーン化合物であって：
（ｉ）炭素原子へと結合する少なくとも一つのヒドロキシル基と、ケイ素−炭素結合を介してケイ素原子へと共有結合する少なくとも一つのカルバモイル基と、ならびに
（ｉｉ）少なくとも二つのシリルオキシ結合を有する少なくとも一つの二価の酸素含有基と、
を有する、ヒドロキシル官能性カルバモイルオルガノシリコーン化合物。
【請求項２】
式（１）：
【化１１】
2010525144.tif 000001
〔式中：
Ｒ１、Ｒ２およびＲ３の各々が独立して二価のヒドロカルビレン基であり、任意選択で一つもしくはそれ以上のエーテル性酸素原子を含有し；
Ｒ４の各々が独立して水素、ヒドロカルビル基、−Ｒ１ＳｉＸ１ａＺｂｂＺｃｃ基、もしくは−Ｃ（＝Ｏ）ＯＲ６（ＯＨ）ｆ基であり；
Ｒ５の各々が独立して水素、ヒドロカルビル基、もしくは−Ｒ１ＳｉＸ１ａＺｂｂＺｃｃ基であり；
Ｒ６の各々は独立して、二価もしくは多価のヒドロカルビレン基であり；
Ｘ１の各々が独立して、−Ｃｌ、−Ｂｒ、Ｒ７Ｏ−、Ｒ７Ｃ（＝Ｏ）Ｏ−、Ｒ７２Ｃ＝ＮＯ−、Ｒ７２ＮＯ−、Ｒ７２Ｎ−、−Ｒ７、もしくは（ＨＯ）ｈ−１Ｒ８Ｏ−であり、任意選択で一つもしくはそれ以上のエーテル性酸素原子を含有し、式中それぞれのＲ７は独立して水素もしくはヒドロカルビル基であり、そしてそれぞれのＲ８は独立して二価もしくは多価のヒドロカルビレン基であり；
Ｚｂの各々が独立して、［−ＯＲ９（ＯＨ）ｉ−２Ｏ−］０．５もしくは［−Ｏ−］０．５であり、ここでＲ９の各々は独立して二価もしくは多価のヒドロカルビレン基であり、任意選択で一つもしくはそれ以上のエーテル性酸素原子を含有し；
Ｚｃの各々が独立して、［−ＯＲ１０（ＯＨ）ｊ−２Ｏ−］０．５であり、ここでＲ１０は独立して二価もしくは多価のヒドロカルビレン基であり、任意選択で一つもしくはそれ以上のエーテル性酸素原子を含有し；そして
下付文字ａ、ｂ、ｃ、ｄ、ｅ、ｆ、ｇおよびｈが整数であり、ここでａが０から２であり、ｂが０から３であり、ｃが０もしくは１であり、ｄが１から４であり、ｅが０から２０であり、ｆが１から４であり、ｇが１から１００であり、ｈが２から３であり、ｉが２から３であり、そしてｊが２から３であり、ただし、ｃが１のとき、ａ＋ｂは１であり；そしてｂが０であるとき、ｇは１でかつｃは１であるという条件である〕
である、請求項１に記載のヒドロキシル官能性カルバモイルオルガノシリコーン化合物。
【請求項３】
Ｒ１、Ｒ２およびＲ３の各々が独立して１２個の炭素原子までのアルキレン、アルケニレン、アレニレンもしくはアラルキレン基であり、任意選択で一つもしくはそれ以上のエーテル性酸素原子を含有し；
Ｒ４の各々が独立して水素、もしくは−Ｃ（＝Ｏ）ＯＲ６（ＯＨ）ｆ基であり；
Ｒ５の各々が水素であり；
Ｒ６の各々が独立して、たとえば１２個までの炭素原子の二価のアルキレン、アルケニレン、アレニレン、アリーレンもしくはアラルキレン基であり；
Ｘ１の各々が独立して、Ｒ７Ｏ−もしくは（ＨＯ）ｈ−１Ｒ８Ｏ−であり、式中、Ｒ７が１から３個の炭素原子のアルキル基であり、そしてそれぞれのＲ８が、１５個の炭素原子までのアルキレン、アルケニレン、アレニレン、アリーレンもしくはアラルキレン基であり、任意選択で一つもしくはそれ以上のエーテル性酸素原子を含有し；
Ｚｂの各々が、［−ＯＲ９（ＯＨ）ｉ−２Ｏ−］０．５であり、ここでＲ９が独立して１５個の炭素原子までのアルキレン、アルケニレン、アレニレン、アリーレンもしくはアラルキレン基であり、任意選択で一つもしくはそれ以上のエーテル性酸素原子を含有し；
Ｚｃの各々が、［−ＯＲ１０（ＯＨ）ｊ−２Ｏ−］０．５であり、ここでＲ１０が独立して１５個の炭素原子までのアルキレン、アルケニレン、アレニレン、アリーレンもしくはアラルキレン基であり、任意選択で一つもしくはそれ以上のエーテル性酸素原子を含有し；
下付文字ａ、ｂ、ｃ、ｄ、ｅ、ｆ、ｇおよびｈが整数であり、ここでａは０から２であり、ｂは０から３であり、ｃは０もしくは１であり、ｄは１から４であり、ｅは０から２０であり、ｆは１から２であり、ｇは２から８であり、ｈは２であり、ｉは２であり、そしてｊは２であり、ただし、ｃが１のとき、ａ＋ｂは１であり；そしてｂが０であるとき、ｇは１でかつｃは１である、請求項２に記載のヒドロキシル官能性カルバモイルオルガノシリコーン化合物。
【請求項４】
それぞれのアルキル基が独立してメチル、エチル、プロピルもしくはイソブチルであり、
それぞれのアルケニル基が独立してビニル、プロペニル、アリル、メタリル、エチリデニルノルボルナン、エチリデンノルボルニル、エチリデニルノルボルネンもしくはエチリデンノルボルネニルであり、
それぞれのアリール基が独立してフェニルもしくはナフタレニルであり、
それぞれのアラルキル基が独立してベンジルもしくはフェネチルであり、
それぞれのアレニル基が独立してトリルもしくはキシリルであり、
それぞれのアルキレン基が独立してメチレン、エチレン、プロピレンもしくはイソブチレンであり、
それぞれのアルケニレン基が独立してエテニレン、プロペニレン、メタリレン、エチリデニレンノルボルナン、エチリデンノルボルニレン、エチリデニレンノルボルネンもしくはエチリデンノルボルネニレンであり、
それぞれのアリール基が独立してフェニレンもしくはナフタレニレンであり、
それぞれのアラルキレン基が独立してフェネチレンもしくあフェニルメチレンであり、そして
それぞれのアレニレン基が独立してトリレンもしくはキシレンである、
請求項３に記載のヒドロキシル官能性カルバモイルオルガノシリコーン化合物。
【請求項５】
少なくとも一つのそれらのオリゴマーを含む、請求項２に記載のヒドロキシル官能性カルバモイルオルガノシリコーン化合物。
【請求項６】
［３−（２−エトキシ−５−メチル−［１，３，２］ジオキサシリナン−２−イル）−プロピル］−カルバミン酸２−ヒドロキシ−エチルエステル；{３−［２−（３−ヒドロキシ−２−メチル−プロポキシ）−５−メチル−［１，３，２］ジオキサシリナン−２−イル］−プロピル}−カルバミン酸２−ヒドロキシ−エチルエステル；［３−（２−エトキシ−５−メチル−［１，３］ジオキサン−２−イル）−プロピル］−［３−（２−エトキシ−５−メチル−［１，３，２］ジオキサシリナン−２−イル）−プロピル］−カルバミン酸２−ヒドロキシ−エチルエステル；［３−（２，４，４，６−テトラメチル−［１，３］ジオキサン−２−イル）−プロピル］−［３−（２，４，４，６−テトラメチル−［１，３，２］ジオキサシリナン−２−イル）−プロピル］−カルバミン酸２−ヒドロキシ−エチルエステル；［３−（２，４，４，６−テトラメチル−［１，３］ジオキサン２−イル）−プロピル］−｛［３−（２，４，４，６−テトラメチル−［１，３，２］ジオキサシリナン−２−イル）−プロピルアミノ］−メチル｝−カルバミン酸２−ヒドロキシ−エチルエステル；（｛（２−ヒドロキシ−エトキシカルボニル）−［３−（２，４，４，６−テトラメチル−［１，３］ジオキサン−２−イル）−プロピル］−アミノ｝−メチル）−［３−（２，４，４，６−テトラメチル−［１，３，２］ジオキサシリナン−イル）−プロピル］−カルバミン酸２−ヒドロキシ−エチルエステル；（｛（２，３−ジヒドロキシ−プロポキシカルボニル）−［３−（２，４，４，６−テトラメチル−［１，３］ジオキサン−２−イル）プロピル］−アミノ｝−メチル）−［３−（２，４，４，６−テトラメチル−［１，３，２］ジオキサシリナン−２−イル）−プロピル］−カルバミン酸２，３−ジヒドロキシ−プロピルエステル；［３−（２，４−ジメチル−［１，３，２］ジオキサシリナン−２−イル）−プロピル］−｛［［３−（２，４−ジメチル−［１，３，２］ジオキサシリナン−２−イル）−プロピル］−（２−ヒドロキシ−１−メチル−エチルエトキシカルボニル）−アミノ］−メチル｝−カルバミン酸３−ヒドロキシ−１−メチル−プロピルエステル；［３−（２，４−ジメチル−［１，３，２］ジオキサシリナン−２−イル）プロピル］−｛［［３−（２，４−ジメチル−［１，３，２］ジオキサシリナン−２−イル）−プロピル］−（２−ヒドロキシ−１−メチル−エトキシカルボニル）−アミノ］−メチル｝カルバミン酸３−ヒドロキシ−１−メチル−プロピルエステル；［４−（２−エトキシ−４−メチル−［１，３，２］ジオキサシリナン−２−イル）−ブチル］−［３−（２−エトキシ−４−メチル−［１，３，２］ジオキサシリナン−２−イル）−プロピル］−カルバミン酸３−ヒドロキシ−１−ヒドロキシメチル−プロピルエステル；｛３−［２−（３−｛２−［３−（２−ヒドロキシ−エトキシカルボニルアミノ）−プロピル］−［１，３，２］ジオキサシリナン−２−イルオキシ｝−プロポキシ）−［１，３，２］ジオキサシリナン−２−イル］−プロピル｝−カルバミン酸３−ヒドロキシプロピルエステル；｛３−［ビス−（３−｛２−［３−（２−ヒドロキシ−エトキシカルボニルアミノ）−���ロピル］−［１，３，２］ジオキサシリナン−２−イルオキシ｝−プロポキシ）−３−ヒドロキシプロポキシ−シラニル］−プロピル｝−カルバミン酸３−ヒドロキシ−プロピルエステル；｛３−［｛３−［［３−（２−ヒドロキシ−エトキシカルボニルアミノ）−プロピル］−（３−ヒドロキシ−プロポキシ）−メチル−シラニルオキシ］−プロポキシ｝−（３−ヒドロキシ−プロポキシ）−メチル−シラニル］−プロピル｝カルバミン酸２−ヒドロキシ−エチルエステル；｛［エチル−｛３−［エチル−［（２−ヒドロキシ−エトキシカルボニルアミノ）−メチル］−（３−ヒドロキシ−プロポキシ）−シラニルオキシ］−プロポキシ｝−（３−ヒドロキシ−プロポキシ）−シラニル］−メチル｝−カルバミン酸２−ヒドロキシ−エチルエステル；｛３−［（２−ヒドロキシ−エトキシカルボニルアミノ）−メチル］−１，１，３，３−テトラヒドロキシ−ジシロキサニルメチル｝−カルバミン酸２−ヒドロキシ−エチルエステル；｛３−［（２−ヒドロキシ−エトキシカルボニルアミノ）−メチル］−１，１，３，３−テトラメチル−ジシロキサニルメチル｝−カルバミン酸２−ヒドロキシ−エチルエステル；および｛４，６−ビス−［（２−ヒドロキシ−エトキシカルボニルアミノ）−メチル］−２，４，６−トリメチル−［１，３，５，２，４，６］トリオキサトリシリナン−２−イルメチル｝−カルバミン酸２−ヒドロキシ−エチルエステルからなる群より選択される少なくとも一つの化合物である、請求項１に記載のヒドロキシル官能性カルバモイルオルガノシリコーン化合物。
【請求項７】
それが実質的に完全な加水分解をするとき、実質的に全く加水分解していない化合物の総重量に基づいて、０から１０重量パーセントを超えないＶＯＣと０から１重量パーセントを超えないＨＡＰとを生成する、請求項１、２および５のいずれか一項に記載のヒドロキシル官能性カルバモイルオルガノシリコーン化合物。
【請求項８】
少なくとも一つの請求項１、２および５のいずれか一項に記載のヒドロキシル官能性カルバモイルオルガノシリコーン化合物の水溶液を含有するコーティング剤組成物。
【請求項９】
少なくとも一つの請求項７に記載のヒドロキシル官能性オルガノシリコーン化合物の水溶液を含有するコーティング剤組成物。
【請求項１０】
界面活性剤、共溶媒、ｐＨ調整剤および硬化触媒からなる群より選択される少なくとも一つの追加の成分をさらに含有する、請求項８および９のいずれか一項に記載のコーティング剤組成物。
【請求項１１】
前記追加の成分の全重量が、組成物の重量の、０から１０重量パーセントを超えないＶＯＣと、０から１重量パーセントを超えないＨＡＰを表す、請求項１０に記載のコーティング剤組成物。
【請求項１２】
金属の露出した表面の少なくも一部分のコーティングのための方法であって：
ａ）少なくとも一つの部分的にもしくは実質的に完全に加水分解されたヒドロキシル官能性カルバモイルオルガノシリコーン化合物であって：
ｉ）炭素原子へと結合する少なくとも一つのヒドロキシル基と、ケイ素−炭素結合を介してケイ素原子へと共有結合する少なくとも一つのカルバモイル基と、ならびに
ｉｉ）少なくとも二つのシリルオキシ結合を有する少なくとも一つの二価の酸素含有基と、
を有する化合物の水溶液を含有する、硬化性コーティング剤組成物を前記表面に塗布するステップと、ならびに
ｂ）金属表面の該硬化性コーティング組成物を硬化してその上に防食性のおよび／もしくは接着促進のコーティングを提供するステップと、
を含有する、方法。
【請求項１３】
前記ヒドロキシル官能性カルバモイルオルガノシリコーン化合物が式（１）：
【化１２】
2010525144.tif 000002
〔式中：
Ｒ１、Ｒ２およびＲ３の各々が独立して二価のヒドロカルビレン基であり、任意選択で一つもしくはそれ以上のエーテル性酸素原子を含有し；
Ｒ４の各々が独立して水素、ヒドロカルビル基、−Ｒ１ＳｉＸ１ａＺｂｂＺｃｃ基、もしくは−Ｃ（＝Ｏ）ＯＲ６（ＯＨ）ｆ基であり；
Ｒ５の各々が独立して水素、ヒドロカルビル基、もしくは−Ｒ１ＳｉＸ１ａＺｂｂＺｃｃ基であり；
Ｒ６の各々は独立して、二価もしくは多価のヒドロカルビレン基であり；
Ｘ１の各々が独立して、−Ｃｌ、−Ｂｒ、Ｒ７Ｏ−、Ｒ７Ｃ（＝Ｏ）Ｏ−、Ｒ７２Ｃ＝ＮＯ−、Ｒ７２ＮＯ−、Ｒ７２Ｎ−、−Ｒ７、もしくは（ＨＯ）ｈ−１Ｒ８Ｏ−であり任意選択で一つもしくはそれ以上のエーテル性酸素原子を含有し、式中それぞれのＲ７は独立して水素もしくはヒドロカルビル基であり；
Ｚｂの各々が独立して、［−ＯＲ９（ＯＨ）ｉ−２Ｏ−］０．５もしくは［−Ｏ−］０．５であり、ここでＲ９の各々は独立して二価もしくは多価のヒドロカルビレン基であり、任意選択で一つもしくはそれ以上のエーテル性酸素原子を含有し；
Ｚｃの各々が独立して、［−ＯＲ１０（ＯＨ）ｊ−２Ｏ−］０．５であり、ここでＲ１０は独立して二価もしくは多価のヒドロカルビレン基であり、任意選択で一つもしくはそれ以上のエーテル性酸素原子を含有し；そして
下付文字ａ、ｂ、ｃ、ｄ、ｅ、ｆ、ｇおよびｈが整数であり、ここでａが０から２であり、ｂが０から３であり、ｃが０もしくは１であり、ｄが１から４であり、ｅが０から２０であり、ｆが１から４であり、ｇが１から１００であり、ｈが２から３であり、ｉが２から３であり、そしてｊが２から３であり、ただし、ｃが１のとき、ａ＋ｂは１であり；そしてｂが０であるとき、ｇは１でかつｃは１であるという条件である〕
によって表される、請求項１２に記載の方法。
【請求項１４】
Ｒ１、Ｒ２およびＲ３の各々が独立して１２個の炭素原子までのアルキレン、アルケニレン、アレニレンもしくはアラルキレン基であり、任意選択で一つもしくはそれ以上のエーテル性酸素原子を含有し；
Ｒ４の各々が独立して水素、もしくは−Ｃ（＝Ｏ）ＯＲ６（ＯＨ）ｆ基であり；
Ｒ５の各々が水素であり；
Ｒ６の各々が独立して、たとえば１２個までの炭素原子の二価のアルキレン、アルケニレン、アレニレン、アリーレンもしくはアラルキレン基であり；
Ｘ１の各々が独立して、Ｒ７Ｏ−もしくは（ＨＯ）ｈ−１Ｒ８Ｏ−であり、式中、Ｒ７が１から３個の炭素原子のアルキル基であり、そしてそれぞれのＲ８が、１５個の炭素原子までのアルキレン、アルケニレン、アレニレン、アリーレンもしくはアラルキレン基であり、任意選択で一つもしくはそれ以上のエーテル性酸素原子を含有し；
Ｚｂの各々が、［−ＯＲ９（ＯＨ）ｉ−２Ｏ−］０．５であり、ここでＲ９が独立して１５個の炭素原子までのアルキレン、アルケニレン、アレニレン、アリーレンもしくはアラルキレン基であり、任意選択で一つもしくはそれ以上のエーテル性酸素原子を含有し；
Ｚｃの各々が、［−ＯＲ１０（ＯＨ）ｊ−２Ｏ−］０．５であり、ここでＲ１０が独立して１５個の炭素原子までのアルキレン、アルケニレン、アレニレン、アリーレンもしくはアラルキレン基であり、任意選択で一つもしくはそれ以上のエーテル性酸素原子を含有し；
下付文字ａ、ｂ、ｃ、ｄ、ｅ、ｆ、ｇおよびｈが整数であり、ここでａは０から２であり、ｂは０から３であり、ｃは０もしくは１であり、ｄは１から４であり、ｅは０から２０であり、ｆは１から２であり、ｇは２から８であり、ｈは２であり、ｉは２であり、そしてｊは２であり、ただし、ｃが１のとき、ａ＋ｂは１であり；そしてｂが０であるとき、ｇは１でかつｃは１である、請求項１３に記載の方法。
【請求項１５】
前記ヒドロキシル官能性カルバモイルオルガノシリコーン化合物が少なくとも一つのそれらのオリゴマーを含む、請求項１３に記載の方法。
【請求項１６】
前記ヒドロキシル官能性カルバモイルオルガノシリコーン化合物が、［３−（２−エトキシ−５−メチル−［１，３，２］ジオキサシリナン−２−イル）−プロピル］−カルバミン酸２−ヒドロキシ−エチルエステル；{３−［２−（３−ヒドロキシ−２−メチル−プロポキシ）−５−メチル−［１，３，２］ジオキサシリナン−２−イル］−プロピル}−カルバミン酸２−ヒドロキシ−エチルエステル；［３−（２−エトキシ−５−メチル−［１，３］ジオキサン−２−イル）−プロピル］−［３−（２−エトキシ−５−メチル−［１，３，２］ジオキサシリナン−２−イル）−プロピル］−カルバミン酸２−ヒドロキシ−エチルエステル；［３−（２，４，４，６−テトラメチル−［１，３］ジオキサン−２−イル）−プロピル］−［３−（２，４，４，６−テトラメチル−［１，３，２］ジオキサシリナン−２−イル）−プロピル］−カルバミン酸２−ヒドロキシ−エチルエステル；［３−（２，４，４，６−テトラメチル−［１，３］ジオキサン２−イル）−プロピル］−｛［３−（２，４，４，６−テトラメチル−［１，３，２］ジオキサシリナン−２−イル）−プロピルアミノ］−メチル｝−カルバミン酸２−ヒドロキシ−エチルエステル；（｛（２−ヒドロキシ−エトキシカルボニル）−［３−（２，４，４，６−テトラメチル−［１，３］ジオキサン−２−イル）−プロピル］−アミノ｝−メチル）−［３−（２，４，４，６−テトラメチル−［１，３，２］ジオキサシリナン−イル）−プロピル］−カルバミン酸２−ヒドロキシ−エチルエステル；（｛（２，３−ジヒドロキシ−プロポキシカルボニル）−［３−（２，４，４，６−テトラメチル−［１，３］ジオキサン−２−イル）プロピル］−アミノ｝−メチル）−［３−（２，４，４，６−テトラメチル−［１，３，２］ジオキサシリナン−２−イル）−プロピル］−カルバミン酸２，３−ジヒドロキシ−プロピルエステル；［３−（２，４−ジメチル−［１，３，２］ジオキサシリナン−２−イル）−プロピル］−｛［［３−（２，４−ジメチル−［１，３，２］ジオキサシリナン−２−イル）−プロピル］−（２−ヒドロキシ−１−メチル−エチルエトキシカルボニル）−アミノ］−メチル｝−カルバミン酸３−ヒドロキシ−１−メチル−プロピルエステル；［３−（２，４−ジメチル−［１，３，２］ジオキサシリナン−２−イル）プロピル］−｛［［３−（２，４−ジメチル−［１，３，２］ジオキサシリナン−２−イル）−プロピル］−（２−ヒドロキシ−１−メチル−エトキシカルボニル）−アミノ］−メチル｝カルバミン酸３−ヒドロキシ−１−メチル−プロピルエステル；［４−（２−エトキシ−４−メチル−［１，３，２］ジオキサシリナン−２−イル）−ブチル］−［３−（２−エトキシ−４−メチル−［１，３，２］ジオキサシリナン−２−イル）−プロピル］−カルバミン酸３−ヒドロキシ−１−ヒドロキシメチル−プロピルエステル；｛３−［２−（３−｛２−［３−（２−ヒドロキシ−エトキシカルボニルアミノ）−プロピル］−［１，３，２］ジオキサシリナン−２−イルオキシ｝−プロポキシ）−［１，３，２］ジオキサシリナン−２−イル］−プロピル｝−カルバミン酸３−ヒドロキシプロピルエステル；｛３−［ビス−（���−｛２−［３−（２−ヒドロキシ−エトキシカルボニルアミノ）−プロピル］−［１，３，２］ジオキサシリナン−２−イルオキシ｝−プロポキシ）−３−ヒドロキシプロポキシ−シラニル］−プロピル｝−カルバミン酸３−ヒドロキシ−プロピルエステル；｛３−［｛３−［［３−（２−ヒドロキシ−エトキシカルボニルアミノ）−プロピル］−（３−ヒドロキシ−プロポキシ）−メチル−シラニルオキシ］−プロポキシ｝−（３−ヒドロキシ−プロポキシ）−メチル−シラニル］−プロピル｝カルバミン酸２−ヒドロキシ−エチルエステル；｛［エチル−｛３−［エチル−［（２−ヒドロキシ−エトキシカルボニルアミノ）−メチル］−（３−ヒドロキシ−プロポキシ）−シラニルオキシ］−プロポキシ｝−（３−ヒドロキシ−プロポキシ）−シラニル］−メチル｝−カルバミン酸２−ヒドロキシ−エチルエステル；｛３−［（２−ヒドロキシ−エトキシカルボニルアミノ）−メチル］−１，１，３，３−テトラヒドロキシ−ジシロキサニルメチル｝−カルバミン酸２−ヒドロキシ−エチルエステル；｛３−［（２−ヒドロキシ−エトキシカルボニルアミノ）−メチル］−１，１，３，３−テトラメチル−ジシロキサニルメチル｝−カルバミン酸２−ヒドロキシ−エチルエステル；および｛４，６−ビス−［（２−ヒドロキシ−エトキシカルボニルアミノ）−メチル］−２，４，６−トリメチル−［１，３，５，２，４，６］トリオキサトリシリナン−２−イルメチル｝−カルバミン酸２−ヒドロキシ−エチルエステルからなる群より選択される少なくとも一つの化合物である、請求項１２に記載の方法。
【請求項１７】
前記ヒドロキシル官能性カルバモイルオルガノシリコーン化合物が実質的に完全な加水分解をするとき、実質的に全く加水分解していない化合物の総重量に基づいて、０から１０重量パーセントを超えないＶＯＣと０から１重量パーセントを超えないＨＡＰとを生成する、請求項１２、１３および１５のいずれか一項に記載の方法。
【請求項１８】
前記コーティング剤組成物が、界面活性剤、共溶媒、ｐＨ調整剤および硬化触媒からなる群より選択される少なくとも一つの追加の成分をさらに含有する、請求項１２、１３および１５のいずれか一項に記載の方法。
【請求項１９】
前記金属が銅、銀、真ちゅう、チタン、チタン合金、金、スズ、ニッケル、クロム、タンタル、表面冷延鋼板、亜鉛めっきされたスチール、溶融亜鉛めっきスチール、プライムスチール、アルミニウム、例えば亜鉛、亜鉛合金、アルミニウム、アルミニウム合金などのうちの少なくとも一つでコートされたスチール、ならびに鉄である、請求項１２に記載の方法。
【請求項２０】
前記硬化した防食性のおよび／もしくは接着促進のコーティング剤がその上にさらなるコーティングを有する、請求項１２に記載の方法。
【請求項２１】
前記さらなるコーティング剤が塗料である、請求項２０に記載の方法。
【請求項２２】
請求項１２および２０のいずれか一項に記載の方法によって生じるコーティングされた金属製品。